【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
需要家からの商談情報を電子データとして受け取る商談入力手段と、
前記商談入力手段が受け取った商談情報を記憶する商談データベースと、
需要家から明細に係る情報を電子データとして受け取り、この受け取った情報と関連のある商談情報を前記商談データベースから引用し、この引用した商談情報とその受け取った情報とに基づいてアソート情報を作成するアソート入力手段と、
前記アソート入力手段で作成したアソート情報を記憶するアソート・データベースと、
需要家からの注文に係る情報を電子データとして受け取り、この受け取った情報と関連のあるアソート情報を前記アソート・データベースから引用し、この引用したアソート情報とその受け取った情報とに基づいて注文情報を作成する注文入力手段と、
前記注文入力手段で作成した注文情報を記憶する注文データベースと、
を備えたことを特徴とする商談・注文システム。
【請求項２】
前記商談情報、前記アソート情報、および前記注文情報は、商談番号、アソート番号、および注文番号により対応づけられて管理されることを特徴とする請求項１に記載の商談・注文システム。
【請求項３】
一つの商談に対応した商談情報は複数のアソート情報に保持され、一つのアソートに対応したアソート情報は複数の注文情報に保持されて、管理されることを特徴とする請求項１または請求項２に記載の商談・注文システム。
【請求項４】
表示装置をさらに備え、
前記商談情報、前記アソート情報、および前記注文情報の何れかの情報の一部を変更する際には、その変更に関連して変更される情報の範囲を前記表示装置に表示するようにしたことを特徴とする請求項１乃至請求項３のうちの何れかの請求項に記載の商談・注文システム。
【請求項５】
前記表示装置に表示された前記関連して変更される情報は、一括して全ての情報が変更されることを特徴とする請求項４に記載の商談・注文システム。
【請求項６】
顧客の端末とインターネットを介して接続される注文情報入力サーバを備え、
前記端末はＷＥＢ画面を用いて情報を入力するようになっていることを特徴とする請求項１乃至請求項５のうちの何れかの請求項に記載の商談・注文システム。
【請求項７】
受注生産における製品の商談から注文までの処理を行う商談・注文方法であって、
需要家からの商談情報を電子データとして受け取り、この受け取った商談情報を商談データベースに記憶する第１ステップと、
需要家からの要求に応じて前記商談データベースから商談情報を検索し、その検索した商談情報を需要家に提供することによって需要家からのアソート固有情報を電子データとして受け取り、前記検索した商談情報と前記受け取ったアソート固有情報とに基づいてアソート情報を作成し、この作成したアソート情報をアソート・データベースに記憶する第２ステップと、
需要家からの要求に応じて前記アソート・データベースからアソート情報を検索し、その検索したアソート情報を需要家に提供することによって需要家からの注文固有情報を電子データとして受け取り、前記検索したアソート情報と前記受け取った注文固有情報により注文情報を作成し、この作成した注文情報を注文データベースに記憶する第３ステップと、
からなることを特徴とする商談・注文方法。
【請求項８】
前記第１ステップでは、前記商談情報を前記商談データベースに記憶するのに先立ってその商談情報を受注者側で確認し、確認後にその商談データベースに記憶し、
前記第２ステップでは、前記アソート情報を前記アソート・データベースに記憶するのに先立ってそのアソート情報を受注者側で確認し、確認後にそのアソート・データベースに記憶し、
前記第３ステップでは、前記注文情報を前記注文データベースに記憶するのに先立ってその注文情報を受注者側で確認し、確認後にその注文データベースに記憶するようにしたことを特徴とする請求項７に記載の商談・注文方法。
【請求項９】
請求項７または請求項８に記載の商談・注文方法における各ステップをコンピュータに実行させることを特徴とする商談・注文処理プログラム。
【手続補正２】
【補正対象書類名】明細書
【補正対象項目名】００１２
【補正方法】変更
【補正の内容】
【００１２】
請求項４に係る発明は、請求項１乃至請求項３のうちのいずれかの請求項に記載の商談・注文システムにおいて、表示装置をさらに備え、前記商談情報、前記アソート情報、および前記注文情報の何れかの情報の一部を変更する際には、その変更に関連して変更される情報の範囲を前記表示装置に表示するようにした。
請求項５に係る発明は、請求項４に記載の商談・注文システムにおいて、前記表示装置に表示された前記関連して変更される情報は、一括して全ての情報が変更されるようにした。
請求項６に係る発明は、請求項１乃至請求項５のうちのいずれかの請求項に記載の商談・注文システムにおいて、顧客の端末とインターネットを介して接続される注文情報入力サーバを備え、前記端末はＷＥＢ画面を用いて情報を入力するようになっている。
【手続補正３】
【補正対象書類名】明細書
【補正対象項目名】００１３
【補正方法】変更
【補正の内容】
【００１３】
請求項７に係る発明は、受注生産における製品の商談から注文までの処理を行う商談・注文方法であって、需要家からの商談情報を電子データとして受け取り、この受け取った商談情報を商談データベースに記憶する第１ステップと、需要家からの要求に応じて前記商談データベースから商談情報を検索し、その検索した商談情報を需要家に提供することによって需要家からのアソート固有情報を電子データとして受け取り、前記検索した商談情報と前記受け取ったアソート固有情報とに基づいてアソート情報を作成し、この作成したアソート情報をアソート・データベースに記憶する第２ステップと、需要家からの要求に応じて前記アソート・データベースからアソート情報を検索し、その検索したアソート情報を需要家に提供することによって需要家からの注文固有情報を電子データとして受け取り、前記検索したアソート情報と前記受け取った注文固有情報により注文情報を作成し、この作成した注文情報を注文データベースに記憶する第３ステップと、からなる。
【手続補正４】
【補正対象書類名】明細書
【補正対象項目名】００３０
【補正方法】変更
【補正の内容】
【００３０】
次に、図１に示す商談・注文システム１の各部の機能について説明する。
商談入力部１１は、発注者が需要家入力端末２から入力する商談情報を電子データとして受け取り、この受け取った商談情報を表示装置（図示せず）に表示させて、受注者側の担当者が確認や承認をするための処理を行い、確定された商談情報を商談データベース１４に記憶するようになっている。また、商談入力部１１は、受注者側で確認し、変更した内容を、発注者側の需要家入力端末２へ出力するようになっている。
【手続補正５】
【補正対象書類名】明細書
【補正対象項目名】００６８
【補正方法】変更
【補正の内容】
【００６８】
なお、図９、図１０は上記では入力画面の場合について説明したが、一旦入力したデータを変更する場合にも、図９、図１０の画面を用いて行う。
まず、需要家入力端末２の入力画面で既入力データを表示する際に、前回入力保存されたデータを記憶装置（メモリ、ハードディスク等）に一時記憶する。その後、変更に係るデータが入力・確定されると、その変更に係るデータを一時記憶した前回入力値と比較して、違う値となっている箇所を変更されたデータ項目と判断して、データ項目全てを抽出する変更項目の検索処理を行う（ステップＳ１１）。